(57)【要約】      （修正有）【課題】着脱可能なＬＣＤパネルユニットがカメラ撮像装置本体から外されても、アサインキーの登録を制御することにより利便性を向上するカメラ撮像システムを提供する。【解決手段】カメラ撮像装置１０１のアサインキー１０７は、登録した機能をアサインキー押下により使用することが可能で、ＬＣＤパネルユニットのアサインキーはカメラ撮像装置の機能を登録し、登録した機能をアサインキー押下により使用することが可能である。カメラ撮像装置は、アサインキーに登録した機能情報の記録手段を有し、パネルユニット装置の着脱を検出した場合に、ＬＣＤパネルユニット装置のアサインキーに登録した機能のうち、カメラ撮像装置の本体機能に係わる機能を、カメラ撮像装置のアサインキーに優先的に割り振る。【選択図】図１
2017085429.tif 000002
【特許請求の範囲】
【請求項１】
カメラ撮像装置はアサインキーを有し、
前記カメラ撮像装置のアサインキーは前記カメラ撮像装置の機能を登録し、登録した機能をアサインキー押下により使用することが可能となり、
ＬＣＤパネルユニットは前記カメラ撮像装置体と着脱可能なユニット装置であり、
前記ＬＣＤパネルユニット装置はアサインキーを有し、
前記ＬＣＤパネルユニット装置のアサインキーは前記カメラ撮像装置の機能を登録し、登録した機能をアサインキー押下により使用することが可能となり、
前記カメラ撮像装置は上記アサインキーに登録した機能情報の記録手段を有し、
前記カメラ撮像装置はパネルユニット装置の着脱を検出する手段を有し、
前記カメラ撮像装置はパネルユニット装置の着脱を検出した場合に
ＬＣＤパネルユニット装置のアサインキーに登録した機能のうちカメラ撮像装置の本体機能に係わる機能をカメラ撮像装置のアサインキーに優先的に割り振ることを特徴とするカメラ撮像装置。
【請求項２】
前記カメラ撮像装置はパネルユニット装置の着脱を検出した場合に
ＬＣＤパネルユニット装置のアサインキーに登録した機能のうちカメラ装置の本体機能に係わる機能をカメラ撮像装置のアサインキーに優先的に割り振るった場合に、アサインキーの内容が変更したことを表示装置で通知することを特徴とする請求項１に記載のカメラ撮像装置。
【請求項３】
前記カメラ撮像装置はパネルユニット装置の着脱を検出した場合に
ＬＣＤパネルユニット装置のアサインキーに登録した機能のうちカメラ撮像装置の本体機能に係わる機能をカメラ撮像装置のアサインキーに優先的に割り振るった後、一定時間が経過しても変更したアサインキーが使用されない場合はカメラ撮像装置に登録していた元の機能に割り当て直すことを特徴とする請求項１に記載のカメラ撮像装置。
【請求項４】
カメラ撮像装置の電源をＯＦＦするとパネルユニット装置のアサインキーに割り振られた機能をカメラ撮像装置のアサインキーに戻すことを特徴とする請求項１に記載のカメラ撮像装置。
【発明の詳細な説明】
【技術分野】
【０００１】
本発明は、カメラ撮像装置に着脱可能なＬＣＤパネルユニット装置とカメラ撮像装置本体の機能操作に関するもので、ＬＣＤパネルユニット装置を使用することにより視認性向上と操作性向上がなされ、その後パネルユニット装置を外された場合でもカメラ撮像装置単体で利便性を向上する方法に関する。
【背景技術】
【０００２】
カメラ撮像装置には着脱可能なＬＣＤパネルユニット装置がオプションで用意される場合がある（特許文献１参照）。
【０００３】
カメラ撮像装置本体にＬＣＤパネルユニット装置を接続することにより視認性の向上をもたらすことができる。また、ＬＣＤパネルユニット装置には本体を操作する操作キーがあり、カメラ撮像装置本体の操作キーを使用せずにカメラ撮像装置本体機能の操作を行える様になっている。
【０００４】
さらに、ユーザが本体特有の機能を選択しアサインすることで機能を簡単に呼び出すができるアサインキーがある。アサインキーは本体やＬＣＤパネルユニット装置にそれぞれ配置されている場合があり、カメラやＬＣＤパネルユニット装置に配置されているアサインキーにユーザが特有の機能を登録し撮影で使用して機能を簡単に使うことが可能になっている。
【先行技術文献】
【特許文献】
【０００５】
【特許文献１】特開平８−１３９９８０号公報
【発明の概要】
【発明が解決しようとする課題】
【０００６】
しかしながら、着脱可能なＬＣＤパネルユニット装置をカメラ撮像装置に接続し、撮影する場合にＬＣＤパネルユニット装置の操作キーを操作し撮影することが一般的であり、その際にＬＣＤパネルユニット装置に配置されているアサインキーを使用し、ユーザが特有の機能を登録しさらに操作性を向上させ利用することが多く、その状態からＬＣＤパネルユニット装置が外された場合に、本体操作キーによる操作を余儀なくされさらにＬＣＤパネルユニット装置もアサインキーにアサインされている機能を利用することができなくなり、その状態でいざカメラを使用した場合にアサインキーが利用できないことに不便をもたらし、アサインキーが登録されていないためカメラ撮像装置本体の操作キー操作できずに撮影チャンスを逃す可能性がある。
【課題を解決するための手段】
【０００７】
上記の課題を解決するために、本発明に係るカメラ撮像装置はアサインキーを有し、
前記カメラ撮像装置のアサインキーは前記カメラ撮像装置の機能を登録し、登録した機能をアサインキー押下により使用することが可能となり、
ＬＣＤパネルユニットは前記カメラ撮像装置体と着脱可能なユニット装置であり、
前記ＬＣＤパネルユニット装置はアサインキーを有し、
前記ＬＣＤパネルユニット装置のアサインキーは前記カメラ撮像装置の機能を登録し、登録した機能をアサインキー押下により使用することが可能となり、
前記カメラ撮像装置は上記アサインキーに登録した機能情報の記録手段を有し、
前記カメラ撮像装置はパネルユニット装置の着脱を検出する手段を有し、
前記カメラ撮像装置はパネルユニット装置の着脱を検出した場合に
ＬＣＤパネルユニット装置のアサインキーに登録した機能のうちカメラ撮像装置の本体機能に係わる機能をカメラ撮像装置のアサインキーに優先的に割り振ることを特徴とする。
【発明の効果】
【０００８】
本発明に係るカメラ撮像装置によれば、着脱ユニットなＬＣＤパネルユニット装置にあるアサインキーをカメラ撮像装置本体から外してもカメラ撮像装置本体のアサインキーに自動で割り当てることにより利便性を向上する。
【図面の簡単な説明】
【０００９】
【図１】カメラ撮像装置図
【図２】ＬＣＤパネルユニット装置図
【図３】ＬＣＤパネルユニット装置側面図
【図４】カメラ撮像装置及びＬＣＤパネルユニット装置接続図
【図５】カメラ撮像装置のアサインキー登録のフローチャート
【図６】カメラ撮像装置のアサインキー登録時の機能選択画面表示例
【図７】カメラ撮像装置のアサインキー登録完了画面表示例
【図８】ＬＣＤパネルユニット装置のアサインキー登録のフローチャート
【図９】ＬＣＤパネルユニット装置のアサインキー登録時の機能選択画面表示例
【図１０】ＬＣＤパネルユニット装置のアサインキー登録完了画面表示例
【図１１】カメラ撮像装置のアサインキー変更時のフローチャート
【図１２】アサインキーの内容に書き換えを確認する表示例
【発明を実施するための形態】
【００１０】
以下に、本発明の好ましい実施の形態を、添付の図面に基づいて詳細に説明する。
【００１１】
図１は本発明の実施形態にかかわるカメラ撮像装置の図である。図２は本発明の実施形態にかかわるＬＣＤパネルユニット装置の図である。図３はカメラ撮像装置及びＬＣＤパネルユニット装置の接続時の図であり、ＬＣＤパネルユニットのアサインキーに登録した機能のうちカメラ装置の本体機能に係わる機能を本体のアサインキーに優先的に割り振る状態を表した例である。
【００１２】
＜第１の実施形態＞
図１に、カメラ撮像装置（１０１）を示す。カメラのレンズ（１０２）、音声を取り込むマイク（１０３）、ファインダー（１０４）、各種操作ボタン（１０５）でありメニューキ―／アサインキーも含まれる、動画記録スタート／ストップボタン（１０６）、アサインキー（１０７）で構成されている。
【００１３】
カメラ撮像装置のアサインキー（１０７）は、メニューボタン押下により表示される機能群から機能を選択し、アサインキー押下で機能を選択することが可能であり、その後アサインキーを押下することで選択させた機能を呼び出せる機能である。
【００１４】
図２に、ＬＤＣパネルユニット装置（２０１）を示す。動画記録スタート／ストップボタン（２０２）、カメラ撮像装置本体の操作を可能とする各種ボタン（２０３）、アサインキー（２０４）、カメラ装置の撮像した画像の表示を行うＬＣＤ（２０５）で構成される。
【００１５】
ＬＣＤパネル装置のアサインキーもカメラ装置のアサインキー同様の仕様となっている。
【００１６】
図３に、ＬＤＣパネルユニット装置（３０１）の側面図を示す。カメラ装置の撮像した画像の表示を行うＬＣＤ（３０２）、各種キーが配置されている（３０３）より構成される。
【００１７】
図４に、カメラ撮像装置とＬＣＤパネルユニット装置を接続した側面図を示す。カメラ撮像装置（４０１）、ＬＣＤパネルユニット（４０２）、構成されている。カメラ撮像装置のレンズ（４０３）、マイク（４０４）、ファインダー（４０５）はカメラ撮像装置の構成部品である。ＬＣＤパネルユニット装置をカメラ撮像装置に接続した場合は撮影のモニターやカメラ装置の操作はＬＣＤパネルユニット装置で行うことが一般的である。
【００１８】
カメラ装置及びＬＣＤパネルユニットのアサインキーに割り当てられる機能としては、ピーキングのＯＮ／ＯＦＦ切り換え、ゼブラのＯＮ／ＯＦＦ切り換え、拡大フォーカスＯＮ／ＯＦＦ切り換え、ヘッドフォン音量増加／減少などが上げられる。
【００１９】
カメラ撮像装置のアサインキーへの登録方法は図５のフローに示す。
【００２０】
メニューよりアサインキーへ機能登録を選択（５０２）、登録するアサインキーを押下することによりアサインキーを選択（５０３）、ここで図６の表示が行われ、機能を選択するために表示装置にピーキング／ゼブラ／ヘッドホン音量＋などが表示され機能を選択する、表示装置はタッチパネルとなっていれば調節選択が可能となり（５０４）、登録ボタンを押下することにより、図７の表示と共にアサインキーへ登録が完了する（５０５）、登録情報はカメラ撮像装置本体の不揮発性メモリに保存される。
【００２１】
ＬＣＤパネルユニット装置のアサインキーへの登録方法は図８のフローに示す、メニューよりアサインキーへ機能登録を選択（８０２）、登録するアサインキーを押下することによりアサインキーを選択（８０３）、ここで図９の表示が行われ、機能を選択するために表示装置にピーキング／ゼブラ／ヘッドホン音量＋などが表示され機能を選択する、表示装置はタッチパネルとなっていれば調節選択が可能となり（８０４）、登録ボタンを押下することにより図１０の表示と共にアサインキーへ登録が完了する（８０５）、登録情報はカメラ撮像装置本体の不揮発性メモリに保存される。
【００２２】
ＬＣＤパネルユニット装置がカメラ装置本体から外された場合に、ＬＣＤパネルユニットのアサインキー登録情報をカメラ装置のアサインキー情報を書き換える制御にフローチャートにより説明する。
【００２３】
カメラ装置本体からＬＣＤパネルユニット装置があ外されたか（１１０２）検出を行い、外された場合にＬＣＤパネルユニット装置のアサインキーが設定されていか（１１０３）の確認を行い、アサインキーが設定されていた場合はカメラ撮像装置のアサインキーをＬＣＤパネルユニット装置のアサインキーの内容に書き換えを行うかを表示する（１１０５）。その表示例としては図１２（１１０１）に示す。図１２で「はい」を選択たされた場合はカメラ撮像装置のアサインキーの内容をバックアップし（１１０６）その後ＬＣＤパネルユニット装置のアサインキー内容に書き換える（１１０７）。
【符号の説明】
【００２４】
１０１  カメラ撮像装置、１０２  レンズ、１０３  マイク、１０４  ファインダー、
１０７  アサインキー
【図１】
2017085429.tif 000003
【図２】
2017085429.tif 000004
【図３】
2017085429.tif 000005
【図４】
2017085429.tif 000006
【図５】
2017085429.tif 000007
【図６】
2017085429.tif 000008
【図７】
2017085429.tif 000009
【図８】
2017085429.tif 000010
【図９】
2017085429.tif 000011
【図１０】
2017085429.tif 000012
【図１１】
2017085429.tif 000013
【図１２】
2017085429.tif 000014